(57)【要約】【課題】迅速かつ正確に印鑑照合を行うことができる印鑑照合装置、印鑑照合方法およびプログラムを提供することを目的とする。【解決手段】顧客番号等に関連付けて、外周枠データと印鑑特徴データとを合わせた識別データを印鑑サーバに登録する。照合を行う際には、照合を申し出た顧客の顧客番号に対応付けて登録されている登録印に対応するデータを印鑑サーバから読み出す。そして、顧客番号に関連付けて登録された登録印の識別データを、照合印の印影データと角度があうように調整し、比較を行う。角度調整された識別データと照合印の印影データが一致するか否かを判別し、一致した場合には、登録印と照合印が同一のものであると判別することにより、上記課題の解決を図る。【選択図】図１
2012118729.tif 000002
【特許請求の範囲】
【請求項１】
印鑑枠内の印影を読み取り前記印影に基づく印影データを取得する読取部と、
前記読取部が取得した前記印影データに基づき、前記印影と、前記印鑑枠内の任意の形状を有する基準図形との交点を示す印鑑特徴データを抽出する印鑑特徴抽出部と、
２つの印鑑の印影にそれぞれ基づくデータが一致するか否かに基づき、前記２つの印鑑が同一のものであるか否かを判別する照合部と、
を有し、
前記照合部は、
第１の印鑑の印影に基づく前記印鑑特徴データと、第２の印鑑の印影に基づく印影データとに基づき前記第１の印鑑と前記第２の印鑑とが同一のものであるか否かを判別する、
ことを特徴とする印鑑照合装置。
【請求項２】
前記読取部が取得した前記印影データに基づき前記印影の外周の形状を示す外周枠データを抽出する外周枠抽出部をさらに有し、
前記照合部は、
前記印鑑特徴データに加え、前記第１の印鑑の印影に基づく外周枠データと、前記第２の印鑑の印影に基づく印影データとに基づき前記第１の印鑑と前記第２の印鑑とが同一のものであるか否かを判別する、
ことを特徴とする印鑑照合装置。
【請求項３】
前記基準図形は、前記印影の形状とは独立して決定される図形であることを特徴とする請求項１または請求項２に記載の印鑑照合装置。
【請求項４】
前記外周枠データは、前記印鑑枠内の印影の最外縁に位置する画素の集合であることを特徴とする請求項２または請求項３に記載の印鑑照合装置。
【請求項５】
前記外周枠抽出部は、前記第１の印鑑の印影に基づく第１の外周枠データと、前記第２の印鑑の印影に基づく第２の外周枠データとを抽出し、
前記照合部は、前記第１の外周枠データと前記第２の外周枠データとが一致すると判別すると、前記第１の印鑑に基づく第１の印鑑特徴データと、前記第２の印鑑の前記印影データとに基づき前記第１の印鑑と前記第２の印鑑とが同一のものであるか否かを判別する、
ことを特徴とする請求項１から請求項４のいずれか一項に記載の印鑑照合装置。
【請求項６】
印鑑を識別する識別情報を入力する入力部と、
前記印鑑の印影に基づくデータを前記識別情報と関連付けて記憶する記憶する記憶部と、
前記入力部に入力された前記識別情報に関連付けて記憶された前記データを読み出す検索部と、
をさらに有し、
前記記憶部は、少なくとも前記識別情報に関連付けて前記第１の印鑑特徴データを記憶し、
前記検索部は、前記入力部に前記識別情報が入力されると、少なくとも前記識別情報に関連付けて記憶された前記第１の印鑑の印影に基づく前記第１の印鑑特徴データを読み出し、
前記照合部は、少なくとも前記検索部により読み出された前記第１の印鑑特徴データと、前記第２の印鑑の前記印影データとに基づき前記第１の印鑑と前記第２の印鑑とが同一のものであるか否かを判別する、
ことを特徴とする請求項１から請求項５のいずれか一項に記載の印鑑照合装置。
【請求項７】
前記記憶部は、前記印鑑特徴データに加え、前記識別情報に関連付けて前記第１の印鑑の印影に基づく第１の外周枠データを記憶し、
前記検索部は、前記入力部に前記識別情報が入力されると、前記識別情報に関連付けて記憶された前記第１の印鑑の印影に基づく前記第１の印鑑特徴データに加え、前記第１の印鑑の印影に基づく第１の外周枠データを読み出し、
前記照合部は、前記検索部により読み出された前記第１の印鑑特徴データおよび前記第１の印鑑の印影に基づく第１の外周枠データと、前記第２の印鑑の前記印影データとに基づき前記第１の印鑑と前記第２の印鑑とが同一のものであるか否かを判別する、
ことを特徴とする請求項１から請求項６のいずれか一項に記載の印鑑照合装置。
【請求項８】
前記記憶部は、識別情報に関連付けて第３の印鑑の印影に基づく第３の印鑑特徴データを記憶し、
前記検索部は、前記入力部に前記識別情報が入力されると、少なくとも前記第３の印鑑特徴データを読み出し、
前記照合部は、少なくとも前記検索部により読み出された前記第３の印鑑特徴データと、前記第２の印鑑の前記印影データとに基づき前記第３の印鑑と前記第２の印鑑とが同一のものであるか否かを判別する、
ことを特徴とする請求項６から請求項７のいずれか一項に記載の印鑑照合装置。
【請求項９】
前記照合部が、前記第１の外周枠データと前記第２の外周枠データとが一致しないと判別すると、前記検索部は、前記識別情報に関連付けられた前記第３の印鑑に基づく第３の外周枠データを読み出し、
前記照合部は、前記第３の外周枠データと前記第２の外周枠データとが一致するか否かを判別することを特徴とする請求項７から請求項８のいずれか一項に記載の印鑑照合装置。
【請求項１０】
前記照合部の照合結果を表示する表示部をさらに有し、
前記表示部は、前記照合部が同一であると判別した２つの印鑑の印影に基づくそれぞれの印影データを重ねて表示することを特徴とする請求項１から請求項９のいずれか一項に記載の印鑑照合装置。
【請求項１１】
前記表示部は、前記照合部が同一であると判別した２つの外周枠データに対応する印鑑の印影に基づくそれぞれの印影データを重ねて表示することを特徴とする請求項５，請求項７，請求項９のいずれか一項に記載の印鑑照合装置。
【請求項１２】
印鑑枠内の印影を読み取り前記印影に基づく印影データを取得する読取工程と、
前記読取部が取得した前記印影データに基づき、前記印影と、前記印鑑枠内の任意の図形である基準図形との交点を示す印鑑特徴データを抽出する印鑑特徴抽出工程と、
２つの印鑑の印影にそれぞれ基づくデータが一致するか否かに基づき、前記２つの印鑑が同一のものであるか否かを判別する照合工程と、
を有し、
前記照合工程において、
第１の印鑑の印影に基づく前記印鑑特徴データと、第２の印鑑の印影に基づく印影データとに基づき前記第１の印鑑と前記第２の印鑑とが同一のものであるか否かを判別する、
ことを特徴とする印鑑照合方法。
【請求項１３】
前記読取部が取得した前記印影データに基づき前記印影の外周の形状を示す外周枠データを抽出する外周枠抽出工程をさらに有し、
前記照合工程において、
前記印鑑特徴データに加え、前記第１の印鑑の印影に基づく外周枠データと、前記第２の印鑑の印影に基づく印影データとに基づき前記第１の印鑑と前記第２の印鑑とが同一のものであるか否かを判別する、
ことを特徴とする印鑑照合方法。
【請求項１４】
前記外周枠抽出工程において、前記第１の印鑑の印影に基づく第１の外周枠データと、前記第２の印鑑の印影に基づく第２の外周枠データとを抽出し、
前記照合工程において、前記第１の外周枠データと前記第２の外周枠データとが一致すると判別すると、前記第１の印鑑に基づく第１の印鑑特徴データと、前記第２の印鑑の前記印影データとに基づき前記第１の印鑑と前記第２の印鑑とが同一のものであるか否かを判別する、
ことを特徴とする請求項１２または請求項１３に記載の印鑑照合方法。
【請求項１５】
印鑑を識別する識別情報を入力する入力工程と、
前記印鑑の印影に基づくデータを前記識別情報と関連付けて記憶する記憶する記憶工程と、
前記入力工程において入力された前記識別情報に関連付けて記憶された前記データを読み出す検索工程と、
をさらに有し、
前記記憶工程において、少なくとも前記識別情報に関連付けて前記第１の印鑑特徴データを記憶し、
前記検索工程において、前記入力工程において前記識別情報が入力されると、少なくとも前記識別情報に関連付けて記憶された前記第１の印鑑の印影に基づく前記第１の印鑑特徴データを読み出し、
前記照合工程において、少なくとも前記検索工程において読み出された前記第１の印鑑特徴データと、前記第２の印鑑の前記印影データとに基づき前記第１の印鑑と前記第２の印鑑とが同一のものであるか否かを判別する、
ことを特徴とする請求項１２から請求項１４のいずれか一項に記載の印鑑照合方法。
【請求項１６】
印鑑枠内の印影を読み取り前記印影に基づく印影データを取得する読取処理と、
前記読取部が取得した前記印影データに基づき、前記印影と、前記印鑑枠内の任意の図形である基準図形との交点を示す印鑑特徴データを抽出する印鑑特徴抽出処理と、
２つの印鑑の印影にそれぞれ基づくデータが一致するか否かに基づき、前記２つの印鑑が同一のものであるか否かを判別する照合処理と、
をコンピュータに実行させるプログラムであって、
前記照合処理において、
第１の印鑑の印影に基づく前記印鑑特徴データと、第２の印鑑の印影に基づく印影データとに基づき前記第１の印鑑と前記第２の印鑑とが同一のものであるか否かを判別する、
ことを特徴とするプログラム。
【発明の詳細な説明】
【技術分野】
【０００１】
本発明は、印鑑照合装置、印鑑照合方法およびプログラムに関する。
【背景技術】
【０００２】
金融機関等において、顧客が届出た印鑑票は、顧客番号や口座番号毎に画像データ化されて登録され、管理されている。例えば、顧客から住所変更や改姓の申請を受けた場合等には、金融機関では、顧客が持参した印鑑が登録された印鑑のどれかに合致するか否かを印鑑照合することにより、本人確認をする。
【０００３】
印鑑照合の方法としては、例えば、印鑑の外周形状情報、外周成分と文字成分との交点の座標、文字成分同士の交点の座標、文字成分の端点から該文字成分に添って引いた直線と他の文字成分との交点の座標等の特徴点情報を抽出して登録し、照合印について同様に抽出した外周形状情報および特徴点情報と登録済みの情報とを用いて照合を行う方法がある（例えば、特許文献１参照）。また、印鑑の印影を印鑑サーバに登録し、登録された印影の中から予め照合に用いる印影をオペレータが選択し、照合を行う例がある（例えば、特許文献２参照）。
【０００４】
文字などの画像を認識する例として、認識対象の画像を同心円で領域分割し、各分割領域の部分画像の集まりとして認識対象の画像の特徴を定義し、定義した特徴を用いて画像を認識する装置も開示されている（例えば、特許文献３参照）。
【先行技術文献】
【特許文献】
【０００５】
【特許文献１】特開平１０−１０５７０３号公報
【特許文献２】特開２００２−２４５４６０号公報
【特許文献３】特開平１１−２９６６７７号公報
【発明の概要】
【発明が解決しようとする課題】
【０００６】
上記のような印鑑照合は、迅速かつ正確に行わなければならない。しかしながら、例えば金融機関等の係員が印鑑を照合するため、登録された印鑑票の画像データを画面等に表示させる際には、まず、顧客番号や口座番号を入力する。そして、入力した番号に関連付けられて登録された印鑑の画像データを表示させ、顧客が持参した印鑑の印影と照合する。印鑑が異なれば、入力した番号とは別の、例えば普通預金の口座番号等をさらに入力し、対応して登録されている画像データと顧客が持参した印鑑の印影とを照合する。このように、顧客の本人確認などの際には、何回か登録された印鑑と持参した印鑑との照合を実施しなければならない場合がある。さらに、このように一人の顧客に対し届出印が複数存在するような場合、印鑑の照合操作を何回か実施しなければならないことになると、照合に時間がかかるという問題もある。
【０００７】
そこで本発明は、登録印が複数ある場合にも、迅速かつ正確に印鑑照合を行うことができる印鑑照合装置および印鑑照合方法を提供することを目的とする。
【課題を解決するための手段】
【０００８】
本発明に係る印鑑照合装置は、印鑑枠内の印影を読み取り前記印影に基づく印影データを取得する読取部と、前記読取部が取得した前記印影データに基づき、前記印影と、前記印鑑枠内の任意の形状を有する基準図形との交点を示す印鑑特徴データを抽出する印鑑特徴抽出部と、２つの印鑑の印影にそれぞれ基づくデータが一致するか否かに基づき、前記２つの印鑑が同一のものであるか否かを判別する照合部と、を有し、前記照合部は、第１の印鑑の印影に基づく前記印鑑特徴データと、第２の印鑑の印影に基づく印影データとに基づき前記第１の印鑑と前記第２の印鑑とが同一のものであるか否かを判別することを特徴としている。
【０００９】
また、本発明に係る印鑑照合方法は、印鑑枠内の印影を読み取り前記印影に基づく印影データを取得する読取工程と、前記読取部が取得した前記印影データに基づき、前記印影と、前記印鑑枠内の任意の図形である基準図形との交点を示す印鑑特徴データを抽出する印鑑特徴抽出工程と、２つの印鑑の印影にそれぞれ基づくデータが一致するか否かに基づき、前記２つの印鑑が同一のものであるか否かを判別する照合工程と、を有し、前記照合工程において、第１の印鑑の印影に基づく前記印鑑特徴データと、第２の印鑑の印影に基づく印影データとに基づき前記第１の印鑑と前記第２の印鑑とが同一のものであるか否かを判別することを特徴としている。
【００１０】
なお、上述した印鑑照合方法をコンピュータに行わせるためのプログラムであっても、このプログラムを当該コンピュータによって実行させることにより、上述した印鑑照合方法と同様の作用・効果を奏するので、前述した課題が解決される。
【発明の効果】
【００１１】
本発明による印鑑照合装置、印鑑照合方法およびプログラムによれば、迅速かつ正確に印鑑照合を行うことができる。
【図面の簡単な説明】
【００１２】
【図１】本発明の一実施の形態による印鑑照合装置の構成を示す図である。
【図２】本発明の一実施の形態による印鑑照合装置の印鑑登録の機能を示すブロック図である。
【図３】本発明の一実施の形態による印鑑照合装置の印鑑照合の機能を示すブロック図である。
【図４】本発明の一実施の形態による印鑑登録処理の動作を示すフローチャートである。
【図５】本発明の一実施の形態による入力画面の一例を示す図である。
【図６】本発明の一実施の形態による外周枠データおよび印鑑特徴データを抽出する動作を示すフローチャートである。
【図７】本発明の一実施の形態による外周枠データの抽出方法の詳細な動作を示すフローチャートである。
【図８】本発明の一実施の形態による外周枠データの抽出方法の説明図である。
【図９】本発明の一実施の形態による印鑑特徴データの抽出方法の詳細を示すフローチャートである。
【図１０】本発明の一実施の形態による印鑑特徴データの抽出方法を説明する概念図である。
【図１１】本発明の一実施の形態による印鑑特徴データの抽出方法を説明する概念図である。
【図１２】本発明の一実施の形態による印鑑特徴データの抽出方法を説明する概念図である。
【図１３】本発明の一実施の形態による印鑑特徴データの抽出方法を説明する概念図である。
【図１４】本発明の一実施の形態による印鑑特徴データの抽出方法を説明する概念図である。
【図１５】本発明の一実施の形態による印鑑照合の動作を説明するフローチャートである。
【図１６】本発明の一実施の形態による照合印の印影データの読取動作を示すフローチャートである。
【図１７】本発明の一実施の形態による照合印の印影データ読取時の処理を説明する図である。
【図１８】本発明の一実施の形態による印鑑照合の詳細な動作を示すフローチャートである。
【図１９】本発明の一実施の形態による登録印の識別データと照合印の印影データとの照合動作の詳細を表すフローチャートである。
【図２０】本発明の一実施の形態による印影データの角度回転処理の動作を説明する図であり、（ａ）は、登録印の印影について示す図、（ｂ）は、照合印の印影について示す図である。
【図２１】本発明の一実施の形態による類似した印影データの表示動作の詳細を示すフローチャートである。
【図２２】本発明の一実施の形態による結果の表示例を示す図である。
【発明を実施するための形態】
【００１３】
以下、図面を参照しながら、本発明の一実施の形態による印鑑照合装置、印鑑照合方法およびプログラムについて説明する。本実施の形態においては、金融機関の印鑑照合を例にして説明する。図１は、本発明の一実施の形態による印鑑照合装置の構成を示す図、図２は、本実施の形態による印鑑照合装置の印鑑登録の機能を示すブロック図、図３は、本実施の形態による印鑑照合装置の印鑑照合の機能を示すブロック図である。
【００１４】
図１に示すように、本実施の形態による印鑑照合装置１は、印鑑照合端末３と、印鑑照合端末３と有線または無線のネットワークにより接続された印鑑サーバ１５を有している。印鑑照合端末３には、スキャナ５、ディスプレイ７、キーボード９、マウス装置１１などが接続されている。印鑑サーバ１５は、データベース１７を有している。
【００１５】
印鑑照合端末３は、印鑑登録と印鑑照合との機能を有する演算処理装置であり、例えば汎用コンピュータである。スキャナ５は、印鑑の印影を画像データとして取り込むための読取装置である。ディスプレイ７は、読み込んだ印影、データベース１７に記憶されている印影等や、印影が関連付けられている顧客番号等、および照合結果を表示する表示装置である。キーボード９は、文字入力などを行う入力装置である。マウス装置１１は、ディスプレイ７上に表示されるポインタやアイコンを操作するために用いられるポインティングデバイスである。印鑑サーバ１５は、印鑑照合端末３で読取った印影および印影に基づいて抽出されるデータなどを印鑑照合端末３から受け取り、データベース１７に記憶するためのコンピュータである。データベース１７は、印鑑サーバ１５により制御され、印鑑照合端末３から送信されたデータを記憶する記憶装置である。
【００１６】
印鑑照合端末３は、印鑑登録を行う印鑑登録部３Ａと、持参した印鑑と登録済みの印鑑とを照合する印鑑照合部３Ｂの機能を有している。図２に示すように、印鑑登録部３Ａは、読取部２１、読取結果表示部２３、登録データ編集部２５、登録部２７などの機能を有している。読取部２１は、スキャナ５で読取られた登録用の印影の画像データを取得する。読取結果表示部２３は、読取部２１が取得したデータをディスプレイ７に送り、ディスプレイ７は、読取結果表示部２３からのデータにより表示を行う。登録データ編集部２５は、読取部２１により取得したデータに基づいて演算などを行い、画像データを編集し、印鑑サーバ１５に登録するデータを作成する。登録部２７は、登録データ編集部２５が作成したデータを印鑑サーバ１５に送信し、図１のキーボード９などから入力された顧客番号等の識別情報と関連付けて登録する。
【００１７】
図３に示すように、印鑑照合部３Ｂは、読取部３１、読取データ編集部３３、検索部３５、照合処理部３７、照合結果処理部３９などの機能を有している。読取部３１は、スキャナ５から読取った照合用の印影の画像データを取得する。読み取りデータ編集部３３は、読取部３１が取得したデータに基づいて演算などを行い、画像データを編集する。検索部３５は、検索対象とする顧客番号や読取データ編集部３３で編集されたデータに基づき、印鑑サーバ１５のデータベース１７から印影に関するデータを取得する。照合処理部３９は、読取部３１が取得した印影と、印鑑サーバ１５から取得した印影に関するデータとを照合する。照合結果処理部３９は、照合した結果をディスプレイ７に表示する。
【００１８】
次に、図４を参照しながら、本実施の形態による印鑑照合装置１による印鑑登録処理について説明する。図４は、印鑑照合装置１による、印鑑登録処理の動作を示すフローチャートである。まず、印鑑登録を受け付ける（Ｓ１０１）。例えば図５に示すように、ディスプレイ７の表示部４１に表示された表示枠４０内の入力枠４４に、例えば顧客番号（ＣＩＦ；Ｃｕｓｔｏｍｅｒ’ｓ  Ｉｎｆｏｍａｔｉｏｎ  Ｆｉｌｅｓ）を入力する。続いて、スキャナ５は登録印の印影が記された印鑑票を読取り、読取部２１は、印鑑票の画像データを取得する（Ｓ１０２）。印鑑票が読取られると、キーボード９などにより、例えば支店の番号である店番、口座の種類である科目、その口座の口座番号等、印鑑に対応する識別情報の入力を行う。また、印影が押印されている印鑑枠、署名がされている署名枠の部分に相当する画像データをそれぞれ切り出し、顧客番号（ＣＩＦ）および口座番号等と関連付けて登録する（Ｓ１０３）。このとき、例えば図５のように、表示部４１に印鑑枠４６の内部に印鑑の印影４８を含んだ画像５０が表示される。また、登録印が複数ある場合も、同様に顧客番号（ＣＩＦ）および口座番号等と関連付けて登録する。
【００１９】
続いて、登録した上記データから、外周枠データおよび印鑑特徴データを作成する（Ｓ１０４）。Ｓ１０４の詳細については後述する。作成した外周枠データおよび印鑑特徴データは、印鑑サーバ１５に印鑑枠、署名枠のそれぞれに対応するデータと関連付けて登録される（Ｓ１０５）。以下、印鑑枠に対応するデータを印影データといい、外周枠データと印鑑特徴データとを合わせたデータを識別データという。
【００２０】
次に、図６〜図１４を参照しながら、図４のＳ１０４の外周枠データと印鑑特徴データを作成する動作の詳細について説明する。図６は、図４のＳ１０４のサブルーチンであり、外周枠データおよび印鑑特徴データを抽出する動作を示すフローチャートである。図７は、図６のＳ１１０のサブルーチンであり、外周枠データの抽出方法の詳細な動作を示すフローチャート、図８は、外周枠データの抽出方法の説明図である。
【００２１】
まず、図６に示すように、登録した印影データの外周枠を抽出する（Ｓ１１０）。以下、例えば図５に示す印影４８を含む印鑑枠４６に対応する画像データを印影データ４８といい、以下同様に、画像とその画像に対応する画像データに同じ参照番号を用いることにする。図７、図８に示すように、まず、登録データ編集部２５は、印影データ４８のビットマップの左上から１ドットずつ矢印５３のように検索し、「黒」のドットを検出する（図７、Ｓ１１５）。登録データ編集部２５は、「黒」のドットを検出すると、次の段の左から順次同様の検索を行い、図８の外枠５２を抽出する。次に同様の処理を右の上から矢印５５のように行い（図７、Ｓ１１６）、同様に外枠５４を抽出する。登録データ編集部２５は、外枠５２と外枠５４とを合わせ、外周枠５６とする。この外周枠５６に対応する「黒」画素の集合が、外周枠データ５６として抽出される（Ｓ１１７）。外周枠データ５６は、印影４８の外周枠の形状を示すデータである。
【００２２】
図６の処理に戻って、Ｓ１１１で登録した印影データから印鑑特徴データを抽出する。ここで、図９から図１４を参照しながら、印鑑特徴データの抽出方法の詳細について説明する。図９は、図６のＳ１１１のサブルーチンであって、印鑑特徴データの抽出方法の詳細を示すフローチャート、図１０から図１４は、印鑑特徴データの抽出方法を説明する概念図である。本発明においては、印鑑特徴データは、印影データと、その印影データと対応する印鑑枠内の任意の図形との交点の画像データである。本実施の形態においては、任意の図形として正方形を例にして説明する。
【００２３】
図９に示すように、まず、登録した印影データ４８における印影４８の中心点を求める（Ｓ１２１）。このとき、例えば印影データ４８において印影４８を含む最小の矩形を求め、その矩形の２組の対角線の交点を中心点とする。次に、中心点から外周枠までの最短距離を抽出する（Ｓ１２２）。例えば、図１０に示すように、印影４８の外周枠が外周枠５６として求められているとき、Ｓ１２１で求めた中心点５８から外周枠５６までの最短の線分６０の長さを最短距離６１とする。次に、図１１に示すように、線分６０の中点６３を求める（Ｓ１２３）。そして、中心点５８から中点６３までの距離ｍを求める（Ｓ１２４）。図１２に示すように、この中点６３を通り、線分６０に平行な辺を持ち、一辺が２ｍの長さを持つ点ＰＱＲＳを結ぶ正方形６５を、印鑑特徴データ抽出のための基準図形として抽出する（Ｓ１２５）。正方形６５と印影４８とを重ね合わせたときに、重なる部分の画像データを、印影４８の印鑑特徴データとして抽出する（Ｓ１２６）。印鑑特徴データを図示したものが、図１３に示す印鑑特徴データ６５である。
【００２４】
図６の処理に戻って、Ｓ１１２において、図１４に示すように、印影４８に基づいて外周枠データ５６と印鑑特徴データ６５とを足し合わせて識別データ７０として作成する。さらに、図４の処理に戻り、Ｓ１０５において、登録部２７は、顧客番号等の顧客に応じて決められた識別情報、場合によっては、さらに口座の種別および口座番号等と、上記印鑑枠、署名枠に応じたデータおよび識別データ７０とを関連付けて印鑑サーバ１５に記憶する。以上の処理により、印影４８の登録処理は完了である。
【００２５】
続いて、図１５から図２２を参照しながら、本実施の形態による印鑑照合の動作について説明する。図１５は、本実施の形態による印鑑照合の動作を説明するフローチャートである。図１５に示すように、顧客から、住所変更、改姓などの申請を受け付ける場合を考える（Ｓ２０１）。まず、ディスプレイ７に表示された例えば図５の表示枠４０などが表示された画面において、キーボード９により入力枠４４に顧客番号（ＣＩＦ）が入力される（Ｓ２０２）。スキャナ５は、照合印の押印された申請書等の印影を含む画像を読み取り、読取部３１は、読取った印影の印影データを取得する（Ｓ２０３）。このＳ２０３の処理の詳細は後述する。
【００２６】
さらに、照合印の印影データと、入力された顧客番号（ＣＩＦ）に関連付けて登録されている登録印の識別データとの照合を行う（Ｓ２０４）。照合の結果、照合印と類似していると判別された登録印の印影データを画面表示する（Ｓ２０５）Ｓ２０４、Ｓ２０５の動作の詳細は後述する。
【００２７】
ここで、Ｓ２０３の照合印の印影データ読取処理の詳細を、図１６および図１７を参照しながら説明する。図１６は、照合印の印影データの読取動作を示すフローチャート、図１７は、照合印の印影データ読取時の処理を説明する図である。図１６に示すように、読取部３１は、まず、スキャナ５上に置かれた帳票において、照合印の印影１４８を含む印鑑枠４６の画像２２０を取り込む（Ｓ２１０）。図１７に示すように、画像２２０には、印鑑枠４６の中に、印影１４８と、「お届け印」という文字列２１７の一部、印鑑の押印場所を示す点線２１９、および罫線２２１が含まれている。読取データ編集部３３は、まず、読取部３１が取り込んだ画像２２０の下方にある罫線成分２２１を検出し（Ｓ２１１）、罫線を削除した画像２２５とする（Ｓ２１２）。読取データ編集部３３は、さらに、所定サイズ以下の例えば矩形２１８で囲まれた微小サイズ画像を検出し、文字列２１７や点線２１９を削除し（Ｓ２１３）、印影１４８のみの画像２２９を抽出し、印影データとして読取る。ここで、画像２２９に対応する画像データを印影データ１４８ということとする。
【００２８】
図１５のＳ２０４に戻って、照合印の印影データと登録印の識別データとの照合を行う。図１８は、Ｓ２０４の動作の詳細を示すフローチャートである。図１８に示すように、Ｓ２３１において、検索部３５は、図１５のＳ２０２で入力された顧客番号に関連付けて記憶された登録印の外周枠データと印鑑特徴データとを含む識別データを照合印の印影データと照合する（Ｓ２３１）。
【００２９】
図１９は、Ｓ２３１の動作の詳細を示すフローチャート、図２０は、印影データの角度回転処理の動作を説明する図である。図１９に示すように、まず、照合処理部３７は、図１５のＳ２０２で入力された顧客番号に関連付けて記憶されている登録印の例えば印影データ２３０を読み出す（Ｓ２４１）。照合処理部３７は、読み出した登録印の印影データ２３０および照合印の印影データ１４８をそれぞれ例えば中心線で代表させた細線化処理を行い、印影データ２５０および印影データ２６２とする（Ｓ２４２）。照合処理部３７は、細線化処理を行った画像に対しそれぞれハフ変換を行うことにより、グラフ２５２およびグラフ２６４を作成する。グラフ２５２上の図形２５４とグラフ２６４上の図形２６６と横軸方向のずれを検出し、ずれの分を横軸方向にずらすことにより図形２５５を示すグラフ２５６を得る。このようにして登録印の印影データと照合印の印影データの角度差を検出し（Ｓ２４３）、検出した角度差分、登録印の印影データを回転させ、角度修正した印影データ２５８を得る（Ｓ２４５）。同時に、照合印の印影と角度を合わせた登録印の識別データを得ることになり、この角度を合わせた識別データと照合印の印影データ１４８とを照合する（Ｓ２４６）。
【００３０】
図１８の処理に戻って、照合の結果、登録印の識別データが、照合印の印影データの対応部分と一致していると判別されれば（Ｓ２３１、Ｙｅｓ）、登録印と照合印が類似していると判断し、類似した登録印の印影データを抽出し、画面表示を行う（Ｓ２３２）。なお、２つの画像データが「一致している」とは、照合対象の画像データのビットマップにおいて同一座標の画素同士を比較した場合に、画素が「黒」であるか否かが一致している割合が所定割合以上であることをいう。  図１８のＳ２３２の処理の詳細を、図２１、図２２を参照しながら説明する。図２１は、類似した印影データの表示動作の詳細を示すフローチャート、図２２は、結果の表示例を示す図である。図２１に示すように、まず、照合結果処理部３９は、類似していると判断された登録印の角度調整済みの印影データと照合印の印影データを取得する（Ｓ２７０）。照合結果処理部３９は、取得した登録印と照合印の印影データを上下（Ｓ２７１）、左右（Ｓ２７２）に調整し、重ねて表示する（Ｓ２７３）。このとき例えば、図２２に示すように、ディスプレイ７の表示部２７５には、印鑑枠４６と照合印の印影１４８、印鑑枠４６と登録印の印影２５８、印鑑枠４６と、印影２５８と印影１４８との位置を調整して重ねた重ね合わせ印２８０を並べて表示する。
【００３１】
図１８のＳ２３１において、登録印の識別データと照合印の印影データとが類似していないと判別される場合がある。この場合には、図１５のＳ２０２で入力された顧客番号に関連付けて登録されている別の印鑑があるか否かを判別し（Ｓ２３３）、ある場合には、Ｓ２３１に戻る。別の登録印がない場合には（Ｓ２３３、Ｎｏ）、印鑑照合処理を終了する。この場合、照合印により顧客の本人確認ができないことをディスプレイに表示するようにしてもよい。
【００３２】
以上説明したように、本実施の形態による印鑑照合装置１によれば、顧客番号等に関連付けて、登録印の印影データ、外周枠データと印鑑特徴データとを合わせた識別データを印鑑サーバ１５に登録する。照合を行う際には、照合を申し出た顧客の顧客番号に対応付けて登録されている登録印について行う。まず、顧客番号に関連付けて登録された登録印の識別データを、照合印の印影データと角度があうように調整し、比較を行う。角度調整された識別データと、照合印の印影データの対応する部分とが一致するか否かを判別し、一致した場合には、登録印と照合印が同一のものであると判別する。また、角度調整された登録印の印影データと照合印の印影データとを重ね合わせて表示する。一致しないと判別された場合には、同一の顧客番号に関連付けて登録された別の登録印について、同様の判別を行う。別の登録印がない場合には、処理を終了する。
【００３３】
なお、本実施の形態において、読取部２１、３１は、本発明の読取部の一例である。また、登録データ編集部２５は、外周枠抽出部および印鑑特徴抽出部の一例であり、照合処理部３７は、照合部、入力部の一例であり、印鑑サーバ１５は、記憶部の一例であり、検索部３５は検索部の一例である。
【００３４】
以上のように本発明の一実施の形態による印鑑照合装置１によれば、登録印の外周枠データ５６および印鑑特徴データ６５、さらには両者を合わせた識別データ７０を自動的に抽出することができる。また、識別データ７０を用いて、顧客番号に関連付けて登録された印鑑から照合印と類似のものを迅速かつ正確に検出することが可能である。このとき、照合印については、印影データを取得するのみでよい。判別の際には、登録印の識別データ７０と、照合印の印影データの識別データ７０と同一座標部分の画素についてのみを比較すればよい。このような本実施の形態による印鑑照合装置１によれば、例えば、従来の印影データ全体の各画素について照合する照合方法に比べて、２０％の時間短縮が達成される。これにより、金融機関等の顧客の待ち時間を減少させることができ、サービスの向上に寄与することが可能となる。
【００３５】
なお、本発明は、以上に述べた実施の形態に限定されるものではなく、本発明の要旨を逸脱しない範囲内で種々の構成または実施形態を採ることができる。例えば、上記実施の形態においては、登録印は顧客番号に関連付けて登録されている登録印を対象とする照合に限ったが、これに限定されない。より数の多い登録印について照合を行なう場合についても適用が可能である。
【００３６】
外周枠データ、または印鑑特徴データのいずれかについてまず判別を行い、合致すると判別されたものについて、他方のデータについて判別を行うこともできる。この場合、印鑑登録部３Ａの登録部２７は、外周枠データ５６と印鑑特徴データ６５とをそれぞれ顧客番号に関連付けて登録する。例えば、先に外周枠データについて判別を行なう場合には、印鑑照合部３Ｂにおいて、読取データ編集部は、読取った照合印の印影データから自動的に外周枠データを抽出する。このとき、照合印の外周枠データは、印鑑登録処理動作において説明した図７と同様の処理を用いて抽出することができる。検索部３５は、照合印に関する顧客番号と抽出した照合印の外周枠データとを印鑑サーバ１５に送信する。印鑑サーバ１５では、照合印に関する顧客番号に関連付けて登録されている登録印の外枠データを検索し、判別を行い、合致する場合には、さらに印鑑特徴データを検索して判別を行う。
【００３７】
外周枠データおよび／または印鑑特徴データについて判別を行って登録印の母数を限定した後に、従来の全ドットの一致する割合を算出する判別方法や、重ね合わせ印の表示による視覚による判別などを共用するようにしてもよい。
【００３８】
照合結果の表示方法は、類似した印であると判別された印影のみを表示する例について説明したが、これに限定されない。例えば、外枠データのみが一致すると判別された複数の登録印の印影を表示する方法や、外周枠データまたは印鑑特徴データについて判別を行い、その時点で一致していると判別された登録印と照合印の印影同士を重ねて表示する方法など、他の形態も可能である。
【符号の説明】
【００３９】
１      印鑑照合装置
３      印鑑照合端末
３Ａ    印鑑登録部
３Ｂ    印鑑照合部
５      スキャナ
７      ディスプレイ
９      キーボード
１１      マウス装置
１３      ネットワーク
１５      印鑑サーバ
１７      データベース
２１、３１      読取部
２３      読取結果表示部
２５      登録データ編集部
２７      登録部
３３      読み取りデータ編集部
３５      検索部
３７      照合処理部
３９      照合結果処理部
【図２】
2012118729.tif 000003
【図３】
2012118729.tif 000004
【図４】
2012118729.tif 000005
【図５】
2012118729.tif 000006
【図６】
2012118729.tif 000007
【図７】
2012118729.tif 000008
【図８】
2012118729.tif 000009
【図９】
2012118729.tif 000010
【図１０】
2012118729.tif 000011
【図１１】
2012118729.tif 000012
【図１２】
2012118729.tif 000013
【図１３】
2012118729.tif 000014
【図１４】
2012118729.tif 000015
【図１５】
2012118729.tif 000016
【図１６】
2012118729.tif 000017
【図１７】
2012118729.tif 000018
【図１８】
2012118729.tif 000019
【図１９】
2012118729.tif 000020
【図２１】
2012118729.tif 000021
【図２２】
2012118729.tif 000022
【図１】
2012118729.tif 000023
【図２０】
2012118729.tif 000024